(57)【要約】      （修正有）【課題】仏壇本体に対して直接的な加工や部材装着を必要とせず、具足を磁着力を利用して確実に安定な載置状態が得られる具足用卓を提供する。【解決手段】底面部に磁石が内蔵された具足が載置される平面領域２を備えた具足用卓であって、前記平面領域は、木製本体４の上面に形成された凹部５と、該凹部内に嵌め込まれた鉄板６と、この鉄板の全面を覆って前記凹部内に嵌め込まれると同時に該凹部の開口を塞ぐ木製薄板７とを備えたものであり、該木製薄板の露呈表面が具足用載置面となる。【選択図】図１
0003172537.tif 000002
【実用新案登録請求の範囲】
【請求項１】
底面部に磁石が内蔵された具足が載置される平面領域を備えた具足用卓であって、
前記平面領域は、木製本体の上面に形成された凹部と、該凹部内に嵌め込まれた鉄板と、この鉄板の全面を覆って前記凹部内に嵌め込まれると同時に該凹部の開口を塞ぐ木製薄板とを備え、該木製薄板の露呈表面が具足用載置面となることを特徴とする具足用卓。
【請求項２】
前記木製薄板が、ツキ板であることを特徴とする請求項１に記載の具足用卓。
【考案の詳細な説明】
【技術分野】
【０００１】
本考案は、例えば花立、香炉、ろうそく立て等の具足とこれら具足を安定して載置するための卓に関するものである。
【背景技術】
【０００２】
一般に、花立、香炉、ろうそく立等の具足、仏具は、仏壇の前面側領域に載置されるもものであるが、地震発生時には、その振動で倒れたり、仏壇から落下して周辺に転がってしまう危険性があった。
【０００３】
そこで、転倒防止のための手段を講じたものも考えられている。たとえば、具足の底部内に磁石（または磁性体）を取り付け、仏壇の載置対応位置の表面や内側に、具足底面積程度の大きさの磁性体（または磁石）を設けることで、磁着力で仏壇の載置面上に具足を固定して、倒れにくい構成としたものがある（特許文献１、２参照。）。
【先行技術文献】
【特許文献】
【０００４】
【特許文献１】特開平１１−９４３２号公報
【特許文献２】実用新案登録第３１５４６６９号公報
【考案の概要】
【考案が解決しようとする課題】
【０００５】
しかしながら、上記の如き従来の、仏壇面に直接磁着力で仏具を固定する構成では、磁石や磁性体を仏壇表面に設けるのは、既存のものに部材を接着させるだけなので間便に接着できるが見栄えが悪くなってしまう。また、表面側で目立たせないように内側に設置する場合には、仏壇を組み立てる前に予め対象部位に磁性体等を接着させたり、そのために仏壇本体側を加工するなど、煩雑な手間が必要であった。また、表面側に何ら加工がなければ、磁性体の設置位置がら確認できないため、具足の載置位置がずれてしまうとその吸着効果が得られない。
【０００６】
本考案の目的は、上記問題点に鑑み、仏壇本体に対して直接的な加工や部材装着を必要とせず、具足を磁着力を利用して確実に安定な載置状態が得られる具足用卓を提供することにある。
【課題を解決するための手段】
【０００７】
上記目的を達成するため、本考案の具足用卓においては、底面部に磁石が内蔵された具足が載置される平面領域を備えた具足用卓であって、前記平面領域は、木製本体の上面に形成された凹部と、該凹部内に嵌め込まれた鉄板と、この鉄板の全面を覆って前記凹部内に嵌め込まれると同時に該凹部の開口を塞ぐ木製薄板とを備えたものであり、該木製薄板の露呈表面が具足用載置面となる。
【０００８】
本考案で云う具足用卓とは、専用に具足を載置するための専用卓であり、具足を載置した卓を仏壇や仏壇前方に設置した机上などに置いて使用するものであり、具足を直接仏壇に載置する必要のないものである。
【０００９】
底面部に磁石が内蔵された具足は、本考案による卓の平面領域に載置されれば、前記凹部内に嵌め込まれた鉄板に対する磁石の磁着力により卓上に固定され、地震による震動で転倒することもない。また、卓を傾けてもその平面領域に固定された状態が維持できるため、掃除などのために卓ごと移動させても、移動中に具足が倒れて落下することなく安全に具足を運ぶことができる。従って、本考案によれば、仏壇本体への加工などの面倒な手間を全く必要とせず、平面領域に鉄板が嵌め込まれた簡便な構成の卓単位で、具足の載置、運搬などの取り扱いを安定して行える。
【００１０】
しかも、鉄板は木製薄板で全面が覆い隠されるため、卓の外観は全て木製となり、仏壇周辺に置かれる仏具として見栄えが悪くなることもない。
【００１１】
また、木製薄板は、木製本体と別部材であるため、化粧板を用いてより装飾性を高めることができる。例えば、高級板材を薄くスライスしてなるツキ板を木製薄板として用いれば、様々な木目装飾を付与したもの提供することができる。
【００１２】
なお、具足としては、底面部に磁石が内蔵できるものであれば、その外観形状は特別な加工は必要なく、基本的に一般的な形態のものが利用できる。例えば、一般的に具足の脚部下端は安定な載置のために、外周方向へ拡がる椀、皿を伏せたような形状の底部を有しており、その内側に空間があればこれを磁石装着空間として利用できる。また個のような空間が無くても底面に板状磁石を装着しても良い。また、鋳造により製造する真鍮等の金属製の具足の場合、予め磁石装着のための凹部を底面内側に形成するような鋳型を用いれば、磁石装着用の専用空間を具足本体製造と同時に形成することができる。
【００１３】
また、内蔵される磁石は、磁力が強いほど卓上に載置されている間の転倒し難さ、安定性が高くなるが、具足自体も真鍮製など比較的重量の大きなものも使用が一般的であることから、内蔵用磁石も適度に磁力が強く、また安価なものが望ましい。例えば、異方性フェライト磁石は、広く一般に磁石として使用されている安価なものであり、錆ない点でも好ましいが、その磁着力を増幅するためのヨークを介して具足底部内に装着すれば、真鍮製の具足でも充分に固着できる。またより強力な希土類磁石を選択することもできる。
【考案の効果】
【００１４】
本考案の具足用卓によれば、仏壇本体に手間のかかる加工等を直接施す必要なく、地震による振動が発生しても、具足を倒れることなく安定した載置状態を維持できると共に、移動・運搬においても卓単位で簡便に安定して扱うことができるという効果がある。
【図面の簡単な説明】
【００１５】
【図１】本考案の実施形態による具足用卓の概略構成図であり、（ａ）は本具足用卓の側面図、（ｂ）は本具足用卓の上面図である。（ｃ）は（ｂ）のＸ−Ｘ断面図である。
【図２】図１の具足用卓に具足を載置した状態を示す斜視図である。
【図３】本考案の具足用卓に載置される具足の断面図である。
【考案を実施するための形態】
【００１６】
本考案の一実施の形態としての具足用卓を図１〜３に示す。本具足用卓１は、具足載置面である中央の平面領域２の左右両端側に取っ手となる立ち上がり部３を一体に備えた平卓である。
【００１７】
該卓１は、カリン等の木製本体４の上面に形成された凹部５内に、まず鉄板６が嵌め込まれ、その上に鉄板６の全面を覆うようにツキ板からなる木製薄板７が嵌め込まれ、この木製薄板７の露呈表面により前記平面領域２が構成されている。また、木製薄板７が凹部５の開口を塞ぐことにより、卓１の外観は全て木製となっている。
【００１８】
以上の構成を備えた具足用卓１に対して、底面部に磁石を備えた具足１０を載置すれば、磁石１３の鉄板６に対する磁着力により、具足１０は強力に平面領域２上に固定され、倒れ難い安定な載置状態が得られる。
【００１９】
一般的に具足とは、花立１０Ａ、香炉１０Ｂ、ろうそく立て１０Ｃから構成されるが、これらの内部に水が入っていたり、火の付いたろうそくが立てられている状態のものでは、転倒して落下すると、周辺が汚れるだけでなく、火災の危険性もある。
【００２０】
しかしながら、本実施形態による具足用卓１の上にこれらの具足１０を載置し、仏壇や、仏壇周りの所定位置に具足用卓１ごと設置して使用すれば、地震発生時の振動で具足１０が倒れて仏壇から落下したり周辺に転がる危険は回避される。また、掃除、花立の花や水代えのための運搬時にも、具足用卓１が傾いても具足１０が倒れることなく卓１に固着されているので、倒れて床に落下する恐れがない。
【００２１】
具足１０としては、底面部に載置状態に支障なく磁石が固定されているものであればよいが、図３の断面図に示すような、底面部１１の内側に凹状の穴１２を形成し、その穴１２内に磁石１３を内蔵した構成とするのが望ましい。このような穴１２は、一般的な真鍮製の具足を鋳造で製造する場合、用いる鋳型を若干変更するだけで容易に形成できる。
【００２２】
また、磁石１３自身の磁力が強力であるほど、鉄板６に対する磁着力が大きく、即ち具足用卓１に対する固定力が大きくなるが、あまり強すぎると、外すのが困難になるため、適度な磁力のものを選択すればよい。たとえば、磁石１３に安価で一般的な磁石である異方位性フェライト磁石を選択した場合、単独ではそれほど強力ではなくても、穴１２への装着をヨーク１４を介して行うことによって磁石１３の磁着力を増幅することができ、適度な磁着力が得られる。その他、より強力が希土類磁石を単独で用いても良い。
【符号の説明】
【００２３】
１：具足用卓
２：平面領域
３：立ち上がり部
４：木製本体
５：凹部
６：鉄板
７：木製薄板
１０：具足
１１：底面部
１２：穴
１３：磁石
１４：ヨーク
【図１】
0003172537.tif 000003
【図２】
0003172537.tif 000004
【図３】
0003172537.tif 000005